(57)【要約】【課題】自動調整を正常に行うことができる画像形成装置の提供。【解決手段】画像形成装置１は、原稿読み取り部４２と、自動調整部４４ｂと、タッチパネル５ｂとを備える。原稿読み取り部４２は、複数の画素からなる画像の読み取り特性を調整するための調整用画像データを取得する。自動調整部４４ｂは、調整用画像データに基づいて、画像の読み取り特性を自動調整する。タッチパネル５ｂは、自動調整部による自動調整が正常に行われたか否かの結果を、調整用画像データの少なくとも１つの画素を含むブロック単位毎に表示し、調整用画像データの複数の画素それぞれを有効または無効とするための画素の選択を、ブロック単位毎に受け付ける。そして、自動調整部４４ｂは、無効と選択されたブロック画素がある場合、無効と選択されたブロックの画素を除く残りのブロックの画素を用いて自動調整を再度行う。【選択図】図６
2008236597.tif 000002
【特許請求の範囲】
【請求項１】
複数の画素からなる画像の読み取り特性を調整するための調整用画像データを取得する画像データ取得部と、
前記調整用画像データに基づいて、前記画像の読み取り特性を自動調整する自動調整部と、
前記自動調整部による自動調整が正常に行われたか否かの結果を、前記調整用画像データの少なくとも１つの前記画素を含む読み取り単位毎に表示する表示部と、
前記調整用画像データの複数の前記画素それぞれを有効または無効とするための前記画素の選択を、前記読み取り単位毎に受付可能な画素選択受付部と、
を備え、
前記自動調整部は、前記調整用画像データの複数の前記画素の中に無効と選択された前記画素がある場合、無効と選択された前記画素を除く残りの前記画素を用いて前記自動調整を再度行う、
画像形成装置。
【請求項２】
前記画素選択受付部は、前記画素の選択を、前記自動調整部が前記自動調整を行う前に更に受け可能であって、
前記自動調整部は、前記自動調整の前に無効であると選択された前記画素がある場合、無効と選択された前記画素を除く残りの前記画素を用いて、前記自動調整を行う、
請求項１に記載の画像形成装置。
【発明の詳細な説明】
【技術分野】
【０００１】
本発明は、画像形成装置に関する。
【背景技術】
【０００２】
複写機や複合機、ファクシミリ等の画像形成装置は、原稿に記載されている画像を読み取り画像データを取得する原稿読み取り部と、読み取った画像データに基づいて用紙に画像形成を行う画像形成部とを備える。
【０００３】
このような画像形成装置では、カラーバランスやピント等の、原稿読み取り部における画像読み取り特性において個体差が生じるため、例えば特許文献１に示すように、製造時や設置後のサービスマンによるメンテナンス時に、個々の装置毎に画像読み取り特性を調整するいわゆる自動調整が行われる。自動調整では、先ずＲＧＢ等の各色の画像を有する調整用原稿が読み取られ、次いで調整用原稿の画像データに基づいて、入力γ調整やマトリクス調整などが行われる。
【特許文献１】特開２０００−３２４３５２号公報
【発明の開示】
【発明が解決しようとする課題】
【０００４】
しかしながら、上述した自動調整の方法では、例えば操作者が調整用原稿とは別の原稿を画像形成装置に間違えてセットし、画像形成装置がこの別の原稿を間違えて読み取った場合や、調整用原稿に汚れや傷がある場合等であっても、画像形成装置は、読み取った原稿に基づいて自動調整を行ってしまうため、自動調整が正常に行われない恐れがある。このような場合、画像の色ズレ等が生じてしまう。
【０００５】
そこで、本発明は、自動調整を正常に行うことができる画像形成装置の提供を目的とする。
【課題を解決するための手段】
【０００６】
発明１に係る画像形成装置は、画像データ取得部と、自動調整部と、表示部と、画素選択受付部とを備える。画像データ取得部は、複数の画素からなる画像の読み取り特性を調整するための調整用画像データを取得する。自動調整部は、調整用画像データに基づいて、画像の読み取り特性を自動調整する。表示部は、自動調整部による自動調整が正常に行われたか否かの結果を、調整用画像データの少なくとも１つの画素を含む読み取り単位毎に表示する。画素選択受付部は、調整用画像データの複数の画素それぞれを有効または無効とするための画素の選択を、読み取り単位毎に受け付け可能である。そして、自動調整部は、調整用画像データの複数の画素の中に無効と選択された画素がある場合、無効と選択された画素を除く残りの画素を用いて前記自動調整を再度行う。
【０００７】
この画像形成装置によると、表示部には、自動調整が正常に行われたか否かを示す結果が少なくとも１つの画素を含む読み取り単位毎に表示されるため、操作者は、例えば自動調整が正常に行われなかった画素を無効にする選択をすることができる。そして、画像形成装置は、無効と選択された画素を除く有効な画素を用いて自動調整を行う。これにより、汚れや傷の付いている自動調整用の原稿を用いて自動調整が行われた場合の調整値を用いて、画像形成装置がその後の画像形成動作を行ってしまうことにより、画像の色ズレが生じてしまうことを防ぐことができる。また、この画像形成装置によると、自動調整用の原稿とは異なる別の原稿について誤って自動調整が行われた際の自動調整による調整値が用いられてしまう場合を防ぐことができる他、ＤＰの裏面の自動調整時のように複数の原稿が必要となる場合であっても、操作者は、複数の原稿が正しい順でセットされているか否かを知ることができる。
【０００８】
発明２に係る画像形成装置は、発明１に係る画像形成装置であって、画素選択受付部は、画素の選択を、自動調整部が自動調整を行う前に更に受け可能である。そして、自動調整部は、自動調整の前に無効であると選択された画素がある場合、無効と選択された画素を除く残りの画素を用いて自動調整を行う。
【０００９】
この画像形成装置によると、操作者は、調整用原稿に汚れや傷があると自動調整の前から分かっている場合には、汚れや傷のある画素を自動調整が行われる前に無効にする選択を行うことができる。これにより、自動調整の精度がより向上する。
【発明の効果】
【００１０】
本発明に係る画像形成装置によると、自動調整が正常に行われるため、画像の色ズレ等が生じてしまうことを防ぐことができる。
【発明を実施するための最良の形態】
【００１１】
（１）画像形成装置の構成
図１は、本実施形態に係る画像形成装置１の外観図である。この画像形成装置１は、複写機、プリンタ、ファクシミリ装置及びスキャナ装置としての機能を併せ持つ複合機の機種であって、複数の画素からなる画像の読み取り特性を自動で調整するための自動調整モードを有している。
【００１２】
図１の画像形成装置１は、ＡＤＦ（Automatic Document Feeder）３、本体部４、操作パネル５、給紙カセット６及び排出トレイ７を備える。
【００１３】
ＡＤＦ３は、原稿載置台２に対し開閉自在に本体部４に装着されており、図２に示すように、原稿載置トレイ３ａと原稿押さえ部３ｂとを有する。原稿載置トレイ３ａには、コピーを行うべき複数枚の原稿が載置され、原稿載置トレイ３ａに載置された複数枚の原稿は、１枚ずつ原稿載置台２のコンタクトガラス２ａ上に搬送される。原稿押さえ部３ｂは、原稿載置台２のプラテンガラス２ｂ上に載置された原稿を押さえるためのものである。ここで、プラテンガラス２ｂは、図２に示すように、ＡＤＦ３と対向する本体部４の部分に設けられている。
【００１４】
本体部４は、図３に示すように、通信部４１、原稿読み取り部４２（画像データ取得部に相当）、画像形成部４３及び制御部４４を含む。
【００１５】
通信部４１は、ＰＣ等である他の端末と通信を行うためのものであって、画像データ等の送受信を行うことができる。
【００１６】
原稿読み取り部４２は、原稿載置台２におけるコンタクトガラス２ａ及びプラテンガラス２ｂ上の原稿を読み取るためのものであって、図２に示すように、ＣＣＤ及び光学系等で構成されている。本実施形態において読み取られる原稿の種類としては、コピーの基となる原稿や、自動調整時に用いられる調整用原稿Ｄが挙げられる。図４は、自動調整が行われる場合に用いられる調整用原稿Ｄの一例を示す模式図である。調整用原稿Ｄは、例えばＡサイズの原稿であり、図４に示すように、各色の調整用画像Ｇ１〜Ｇ７を有している。調整用原稿Ｇ１〜Ｇ７は、それぞれ調整用原稿Ｄの搬送方向（図４の矢印方向）に対し交差する方向に伸びるように配置されている。また、調整用画像Ｇ１，Ｇ２，Ｇ３は、３原色（Ｒ，Ｇ，Ｂ）中の赤（Ｒ）、緑（Ｇ）、青（Ｂ）にそれぞれ色設定されている。調整用画像Ｇ４，Ｇ５，Ｇ６は、補色（Ｃ，Ｍ，Ｙ）中のシアン（Ｃ）、マゼンダ（Ｍ）、イエロー（Ｙ）にそれぞれ色設定されている。調整用画像Ｇ７は、所定階調のグレー（Ｇｒａｙ）に色設定されている。このような調整用原稿Ｄは、ＡＤＦ３によって図４の矢印方向に搬送され、原稿読み取り部４２により読み取られる。以下では、原稿読み取り部４２が調整用原稿Ｄを読み取って取得した画像データを「調整用画像データ」といい、特に調整用画像Ｇ１〜Ｇ７それぞれに対応する画像データを「ＲＧＢ画素データ」という。
【００１７】
画像形成部４３は、原稿読み取り部４２や通信部４１から取得された画像データに基づいて、画像形成を行うためのものであって、感光体ドラム、現像装置等を含む。
【００１８】
制御部４４は、ＣＰＵやＲＡＭ等からなるマイクロコンピュータで構成されており、図３に示すように、操作パネル５、通信部４１、原稿読み取り部４２及び画像形成部４３等と接続されている。制御部４４は、画像形成処理や接続されている各入出部の動作の制御等を行う。尚、制御部４４については、「（２）制御部の構成」で詳述する。
【００１９】
操作パネル５は、図１に示すように、本体部４において原稿載置台２の手前側部分に設けられ、図１及び図３に示すように、操作キー５ａ及びタッチパネル５ｂ（表示部及び画素選択受付部に相当）を有している。操作キー５ａには、印刷開始を指示するためのスタートキーや、各種設定のための設定キー、テンキーなどが含まれる。タッチパネル５ｂは、液晶ディスプレイで構成されており、例えば自動調整の設定画面（図５）や、自動調整が正常に行われなかった場合には、調整用画像データ中の画素を有効または無効と選択可能な選択画面（図６）を表示する。図６の選択画面がタッチパネル５ｂに表示された場合、操作者は、汚れや傷等のついている画素が自動設定時に用いられないように、読み取り単位毎に無効とする画素を選択することができる。
【００２０】
ここで、読み取り単位とは、操作者が画素を選択する際に画素を選択しやすいように任意に設定された単位であって、少なくとも１つの画素からなる。例えば、図６では、調整用原稿Ｄにおける調整用画像Ｇ１〜Ｇ７の部分は７つのブロックに区切られて表されている。この各ブロックでは、例えば全調整用画像Ｇ１〜Ｇ７が４４８画素からなるとすると、１ブロックあたり６４画素を含むことになる。このような場合、操作者は、６４画素毎に区切られた７つのブロックの中から、無効とするブロックを選択することができる。尚、以下では、説明を簡単にするため、画素の読み取り単位を「ブロック」として説明する。
【００２１】
給紙カセット６は、用紙を収納可能であって、図１に示すように本体部４の下方に３段設けられている。
【００２２】
排出トレイ７は、本体部４の側面に側方に突出するように設けられており、本体部４内部の画像形成部４３により画像形成動作が行われた後の用紙が積載される。
【００２３】
（２）制御部の構成
本実施形態に係る制御部４４は、例えば操作パネル５上から自動調整モードが選択された場合には、自動調整を行う。このような動作を行うため、制御部４４は、図３に示すように、モード制御部４４ａ、自動調整部４４ｂ及び操作パネル制御部４４ｃとして機能する。
【００２４】
モード制御部４４ａは、操作パネル５を介してなされた各種設定に基づいて、画像形成装置１が動作するモードを制御する。例えば、操作パネル５上からコピー機能が指定された場合、モード制御部４４ａは、コピーモードでの動作指示を、接続されている各機能部及び制御部４４内の各機能部に出力する。また、自動調整モードが指定された場合、モード制御部４４ａは、自動調整モードでの動作指示を、接続されている各機能部及び制御部４４内の各機能部に出力する。
【００２５】
自動調整部４４ｂは、自動調整を行う。具体的には、自動調整部４４ｂは、モード制御部４４ａから自動調整モードでの動作指示を取得すると、調整用原稿Ｄの画素が自動調整に用いることができるか否かの判断を行い、画像の読み取り特性の調整を行う。ここで、画像の読み取り特性を調整する方法としては、入力γ調整やマトリクス調整などが挙げられる。また、操作パネル５のタッチパネル５ｂ上に図６の画面が表示された状態で、調整用画像データ中の複数の画素の中から、無効とされる画素のブロックが操作者により選択された場合、自動調整部４４ｂは、選択されたブロックの画素を除く残りの画素を用いて自動調整を行う。
【００２６】
操作パネル制御部４４ｃは、操作パネル５の制御を行う。例えば、操作パネル制御部４４ｃは、操作パネル５を介して自動調整モードが選択された場合、図５の自動調整の設定画面の画面情報を生成し、タッチパネル５ｂに出力する。また、自動調整に用いることができない画素があるため、自動調整にエラーが生じた場合には、操作パネル制御部４４ｃは、図６に示すように、エラーが生じた画素のブロックと正常な画素のブロックとを区別して表示するような画面情報を生成し、タッチパネル５ｂに出力する。
【００２７】
（３）動作
図７は、本実施形態に係る画像形成装置１の動作の流れを説明するためのフロー図である。
【００２８】
ステップＳ１：操作パネル５を介して自動調整モードが指定されると、操作パネル制御部４４ｃは、図５の画面がタッチパネル５ｂに表示されるように制御する。これにより、タッチパネル５ｂには図５に示す自動調整の設定画面が表示される。ここで、調整用原稿Ｄが原稿載置台２に載置され、図５の画面上から操作者により入力γ調整またはマトリクス調整が選択された後、自動調整の開始が指示されたとする。
【００２９】
ステップＳ２：原稿読み取り部４２は、原稿載置台２に載置された調整用原稿Ｄを読み取り、画像読み取り特性を調整するための調整用画像データを取得する。
【００３０】
ステップＳ３〜７：制御部４４の自動調整部４４ｂは、調整用画像データのうち各ＲＧＢ画素データが示す階調の平均値を算出する（Ｓ３）。これにより、各色の調整用画像Ｇ１〜Ｇ７に関する階調の平均値が得られる。次いで、自動調整部４４ｂは、各色の調整用画像Ｇ１〜Ｇ７毎にステップＳ３で求めた平均値から所定値以上離れた階調を示すＲＧＢ画素データの割合を算出し（Ｓ４）、この割合が２０％以上であるか否かをそれぞれ判断する（Ｓ５）。そして、ステップＳ５において割合が２０％以上でない場合（Ｓ５のＮＯ）、自動調整部４４ｂは、例えば調整用画像Ｇ１の色彩に相当する赤（Ｒ）のＲＧＢ画素データの階調が、３原色（Ｒ，Ｇ，Ｂ）の他の色である緑（Ｇ）、青（Ｂ）の各ＲＧＢ画素データの階調より小さいか否かを判断する（Ｓ６）。自動調整部４４ｂは、ステップＳ４〜７の動作を、７色全てについて行う（Ｓ７）。即ち、ステップＳ６では、３原色（Ｒ，Ｇ，Ｂ）の緑（Ｇ）、青（Ｂ）については、緑（Ｇ）の階調であれば赤（Ｒ）、青（Ｂ）の各階調よりも小さいか否かが判断され、青（Ｂ）の階調であれば赤（Ｒ）、緑（Ｇ）の各階調よりも小さいか否かが判断される。
【００３１】
また、調整用画像Ｇ４〜６は３原色（Ｒ，Ｇ，Ｂ）の補色に相当するシアン（Ｃ）、マゼンダ（Ｍ）、イエロー（Ｙ）の色彩を示すものであるため、例えばシアン（Ｃ）の調整用画像Ｇ４であれば、調整用画像Ｇ４中の赤（Ｒ）の階調が緑（Ｇ）、青（Ｂ）の階調よりも大きいか否かが比較される。この場合、調整用画像Ｇ４中の赤（Ｒ）の階調が緑（Ｇ）、青（Ｂ）の階調よりも大きい場合には、自動調整部４４ｂは自動調整が正常になされないと判断する。
【００３２】
尚、調整用画像Ｇ７については、色彩がグレー（Ｇｒａｙ）であるため、３原色（Ｒ，Ｇ，Ｂ）の各々に相当するＲＧＢ画素データの階調はお互いに等しくなる。従って、自動調整部４４ｂは、３原色（Ｒ，Ｇ，Ｂ）の各々に相当するＲＧＢ画素データの階調の差が例えば３０階調以上ある場合には、自動調整は正常になされないと判断する。
【００３３】
ステップＳ８：ステップＳ７において、調整用画像Ｇ１〜Ｇ７の全てについてステップＳ４〜Ｓ７の動作が完了した後、自動調整部４４ｂは、調整用画像データにおける全ての画素を対象として、ステップＳ１で設定された入力γ調整またはマトリクス調整を行う。
【００３４】
ステップＳ９：ステップＳ４で求めた割合が２０％以上である場合（Ｓ５のＹＥＳ）、また、例えば調整用画像Ｇ１において赤（Ｒ）の階調が緑（Ｇ）、青（Ｂ）の階調よりも小さい場合には（Ｓ６のＮＯ）、自動調整部４４ｂは、自動調整が正常に行われなかったと判断する。そして、操作パネル制御部４４ｃは、調整用原稿Ｄにおける調整用画像Ｇ１〜Ｇ７を全画素数により複数のブロックに分割し、次いで自動調整が正常に行われなかったブロックと正常におこなわれるブロックとを区別可能かつ選択可能にタッチパネル５ｂに表示させる。これにより、タッチパネル５ｂには、図６に示す画面が表示される。
【００３５】
ステップＳ１０〜１１：自動調整において無効とするブロックがタッチパネル５ｂを介して選択された場合には（Ｓ１０のＹＥＳ）、自動調整部４４ｂは、調整用原稿Ｄにおける全画素のうち、選択されたブロックを除く残りのブロックの画素を用いて入力γ調整またはマトリクス調整を行う（Ｓ１１）。尚、ステップＳ１０において、操作者により自動調整において無効とするブロックが選択されなかった場合には（Ｓ１０のＮＯ）、画像形成装置１は、自動調整を再度行うことなく、一連の動作を終了する。
【００３６】
（４）効果
この画像形成装置１によると、操作パネル５のタッチパネル５ｂには、自動調整が正常に行われたか否かを示す結果がすくとも１つの画素を含むブロック単位で表示されるため、操作者は、例えば自動調整が正常に行われなかった画素を無効にする選択をすることができる。そして、画像形成装置１は、無効と選択されたブロックの画素を除く有効なブロックの画素を用いて自動調整を行う。これにより、汚れや傷の付いている調整用原稿を用いて自動調整が行われた場合の調整値を用いて、画像形成装置１がその後の画像形成動作を行ってしまうことにより、画像の色ズレが生じてしまうことを防ぐことができる。また、この画像形成装置１によると、調整用原稿とは異なる別の原稿について誤って自動調整が行われた際の自動調整による調整値が用いられてしまう場合を防ぐことができる他、ＤＰの裏面の自動調整時のように複数の調整用原稿が必要となる場合であっても、操作者は、複数の調整用原稿が正しい順でセットされているか否かを知ることができる。
【００３７】
＜その他の実施形態＞
（ａ）上記実施形態では、図７に示すように、図６の選択画面は、自動調整後にのみタッチパネル５ｂに表示される場合について記載したが、図６の選択画面は、自動調整前に更に表示されてもよい。この場合の画像形成装置１の主な動作の流れを、図８に示す。以下に、図８を用いて、画像形成装置の動作を簡単に説明する。尚、この実施形態に係る画像形成装置は、上記実施形態に係る画像形成装置１と構成が同一であるため、構成については、上記実施形態に係る画像形成装置１と同様の符号を用いるとする。
【００３８】
ステップＳ１０１：操作パネル５を介して自動調整モードが指定されると、タッチパネル５ｂには、図５に示す自動調整の設定画面が表示される。ここで、調整用原稿Ｄが原稿載置台２に載置され、図５の画面上から操作者により入力γ調整またはマトリクス調整が指定された後、自動調整の開始が指示されたとする。
【００３９】
ステップＳ１０２：原稿読み取り部４２は、原稿載置台２に載置された調整用原稿Ｄを読み取り、画像読み取り特性を調整するための調整用画像データを取得する。
【００４０】
ステップＳ１０３：原稿読み取り部４２が調整用画像データを取得すると、制御部４４の操作パネル制御部４４ｃは、調整用原稿Ｄにおける調整用画像Ｇ１〜Ｇ７を全画素数により複数のブロックに分割し、これらの各ブロックを選択可能なようにタッチパネル５ｂに表示させる。これにより、操作者は、例えば汚れや傷等がついていると予め分かっている箇所を含むブロックを無効にするべく選択することができる。
【００４１】
ステップＳ１０４〜１０５：自動調整において無効とするブロックが選択された場合には（Ｓ１０４のＹＥＳ）、自動調整部４４ｂは、調整用原稿Ｄにおける調整用画像Ｇ１〜Ｇ７のうち、選択されたブロックを除く残りのブロックの画素について自動調整を行う（Ｓ１０５）。尚、ステップＳ１０５の自動調整の詳細な内容は、図７のステップＳ３〜Ｓ８に該当する。
【００４２】
ステップＳ１０６：ステップＳ１０４において、無効とするブロックが選択されなかった場合には（Ｓ１０４のＮＯ）、自動調整部４４ｂは、全画素について自動調整を行う（Ｓ１０６）。尚、ステップＳ１０６の自動調整の詳細な内容は、ステップ１０７と同様、図７のステップＳ３〜Ｓ８に該当する。
【００４３】
ステップＳ１０７〜１０８：例えば図７のステップＳ５のＹＥＳ、ステップＳ６のＮＯのように、自動調整が正常に行われなかったと自動調整部４４ｂが判断した場合には（Ｓ１０７のＹＥＳ）、操作パネル制御部４４ｃは、調整用原稿Ｄにおける調整用画像Ｇ１〜Ｇ７を、自動調整が正常に行われなかったブロックと正常に行われるブロックとを区別可能かつ選択可能にタッチパネル５ｂに表示させる（Ｓ１０８）。これにより、タッチパネル５ｂには、図６に示す画面が表示される。尚、ステップＳ１０７において、自動調整が正常に行われた場合には、画像形成装置１は、一連の動作を終了する。
【００４４】
ステップＳ１０９〜１１０：ステップＳ１０８の画面上から、自動調整において無効とするブロックが選択された場合には（Ｓ１０９のＹＥＳ）、自動調整部４４ｂは、調整用原稿Ｄにおける調整用画像Ｇ１〜Ｇ７のうち、選択されたブロックを除く残りのブロックの画素を用いて入力γ調整またはマトリクス調整を行う（Ｓ１１０）。尚、ステップＳ１０９において、無効とするブロックが選択されなかった場合には（Ｓ１０９のＮＯ）、画像形成装置１は、自動調整を再度行うことなく、一連の動作を終了する。
【００４５】
このような画像形成装置１によると、操作者は、調整用原稿Ｄに汚れや傷があると自動調整の前から分かっている場合には、汚れや傷のある画素を含むブロックについて、自動調整が行われる前に無効にする選択を行うことができる。これにより、自動調整の精度がより向上する。
【００４６】
（ｂ）上記実施形態では、操作者は、操作パネル５のタッチパネル５ｂを介してブロックの選択を行う場合について説明したが、ブロックの選択動作は、操作キー５ａを介して行われても良い。
【産業上の利用可能性】
【００４７】
本発明に係る画像形成装置は、例えば複写機やスキャナのように、原稿を読み取る原稿読み取り部を備える装置に適用できる。
【図面の簡単な説明】
【００４８】
【図１】本実施形態に係る画像形成装置の外観図。
【図２】本実施形態に係る画像形成装置のＡＤＦ、原稿載置台及び原稿読み取り部を詳細に示した縦断面図。
【図３】本実施形態に係る画像形成装置の構成を模式的に示すブロック図。
【図４】自動調整が行われる場合に用いられる調整用原稿の一例を示す模式図。
【図５】本実施形態に係るタッチパネルに表示される画面例。
【図６】本実施形態に係るタッチパネルに表示される画面例。
【図７】本実施形態に係る画像形成装置の動作の流れを示すフロー図。
【図８】その他の実施形態に係る画像形成装置の動作の流れを示すフロー図。
【符号の説明】
【００４９】
１  画像形成装置
５  操作パネル
５ａ  操作キー
５ｂ  タッチパネル
４２  原稿読み取り部
４３  画像形成部
４４  制御部
４４ａ  モード制御部
４４ｂ  自動調整部
４４ｃ  操作パネル制御部
【図１】
2008236597.tif 000003
【図２】
2008236597.tif 000004
【図３】
2008236597.tif 000005
【図４】
2008236597.tif 000006
【図５】
2008236597.tif 000007
【図６】
2008236597.tif 000008
【図７】
2008236597.tif 000009
【図８】
2008236597.tif 000010